(57)【要約】【課題】目視では分かり難い防音カーテンの防音機能を、防音度や音の減衰を確認することができるウェブページを提供し、防音カーテンの購入を促進することを目的とする展示・販売方法を提供する。【解決手段】ウェブページにおいて、防音カーテンを開けた状態と、各種騒音例の写真、イラスト、文字などの表示欄が表示され、各種騒音例として挙げた表示と、それぞれ「カーテンを開けた状態」と、「カーテンを閉めた状態」の文言が記載された表示を設け、各種騒音例の一つの「カーテンを開けた状態」をクリックすると、防音カーテンは開けた状態で、騒音が一定時間、音として流れ、つぎに「カーテンを閉めた状態」をクリックすると、閉めた状態に変わり、その際、前記騒音に対する減衰した騒音が一定時間流れ、騒音に対する機能を比較確認できることを特徴とする防音カーテンの展示・販売方法。【選択図】図１
2007087356.tif 000002
【特許請求の範囲】
【請求項１】
パソコンにおけるウェブページにおいて、防音カーテンを開けた状態が表示され、各種騒音例の写真、イラスト、文字などを表した表示欄が相対的に表示され、前記各種騒音例として挙げた表示と、それに対応して、それぞれ「カーテンを開けた状態」と、「カーテンを閉めた状態」の文言が記載された表示を設け、各種騒音例の一つの「カーテンを開けた状態」をクリックすると、防音カーテンはカーテンを開けた状態で、騒音が一定時間、音として流れ、つぎに「カーテンを閉めた状態」をクリックすると、前記防音カーテンは、カーテンを閉めた状態に変わり、その際、前記騒音に対する防音カーテンの減衰した騒音が一定時間流れ、騒音に対する防音カーテンの機能を比較確認できることを特徴とするインターネット上のウェブページにおける防音カーテンの展示・販売方法。
【発明の詳細な説明】
【技術分野】
【０００１】  この発明は、防音カーテンの販売に際して、防音度を直接、音として知らせる展示・販売方法に関するものである。
【背景技術】
【０００２】  従来カーテンを購入するには、柄や色で選ぶのが一般的であるが、室内に騒音、異常音の侵入を妨げるための防音カーテンにおいては、その防音機能、効果を購買の対象とするものであり、その販売に当たっては、前記柄や色の他に、防音性能を数値化した説明資料などを参考に供することによって、防音の目安や効果を知らせることが行われている。しかし昨今のインターネット上のウェブページ（ホームページ）を用いてこの防音カーテンを販売するには、その画面で柄や色を見たり、説明文を読んだだけでは、防音に関する効果を実感できないために、購買者は購入を決め難く、販売において隘路となっていた。
【発明の開示】
【発明が解決しようとする課題】
【０００３】  この発明は、目で見たり、文章を読んだりしても分かり難い防音機能、効果を、実際に耳で聞いて、防音度や音の減衰を容易に確認することができる、インターネット上のウェブページを提供することにより、需要者が防音カーテンの購入において、その意思決定に寄与し、それを促進することを目的とする展示・販売方法を提供する。
【課題を解決するための手段】
【０００４】  パソコンにおけるウェブページ（Ｗ）の上段左側欄面（１）において、防音カーテン（Ｃ’）のカーテンを開けた状態（Ｘ）が表示され、右側欄面（２）において各種騒音例の写真、イラスト、文字などを表した表示欄が相対的に表示され、これら左側欄面（１）、右側欄面（２）の下段には、前記右側欄面（２）における各種、騒音例として挙げた表示と、その右側に対応して、それぞれ「カーテンを開けた状態（Ｘ）」と、「カーテンを閉めた状態（Ｘ’）」の文言が記載された表示を設け、各種騒音例の一つの「カーテンを開けた状態（Ｘ）」をクリックすると、上段左側欄面（１）の防音カーテン（Ｃ’）はカーテンを開けた状態で、騒音が一定時間、音として流れ、つぎに隣の欄の「カーテンを閉めた状態（Ｘ’）」をクリックすると、上段左側欄面（１）の防音カーテン（Ｃ’）は、カーテンを閉めた状態（Ｘ’）に変わり、その際、前記騒音に対するこの防音カーテン（Ｃ’）の透過損失を加味した減衰した騒音が一定時間流れ、騒音に対する防音カーテンの機能を比較して確認することを特徴とするインターネット上のウェブページにおける防音カーテンの展示・販売方法。
【発明の効果】
【０００５】  パソコンを使用するインターネット上の防音カーテンの販売において、目で見たり、文章を読んだりしても分かり難い防音機能、効果を、実際に耳で聞いて、防音度や音の減衰を容易に確認することができるウェブページを提供することによって、実際に購買者がその音を聞き、比較することによって、防音カーテンの購入において、その意思決定に寄与し、それを促進することを図る防音カーテンの展示・販売方法となる。
【発明を実施するための最良の形態】
【０００６】  この発明の実施例として、図１に示すのはパソコンにおけるウェブページ（Ｗ）の画面である。この画面の上段左側欄面（１）において、防音カーテン（Ｃ’）のカーテンを開けた状態（Ｘ）が表示され、右側欄面（２）において騒音例として幹線道路沿い（Ａ）、走行する電車（Ｂ）、建設工事現場（Ｃ）、犬の遠吠え（Ｄ）などの写真、イラスト、文字などを表した表示欄が相対的に表示されている。そしてこれら左側欄面（１）、右側欄面（２）の下段には、前記右側欄面（２）において、騒音例として挙げた「幹線道路沿い（Ａ）」、「走行する電車（Ｂ）」、「建設工事現場（Ｃ）」、「犬の遠吠え（Ｄ）」などの文言の表示と、その右側に図示のように対応して、それぞれ「カーテンを開けた状態（Ｘ）」と、「カーテンを閉めた状態（Ｘ’）」の文言が記載された表示欄面（３）を設ける。【０００７】  ここで購買者が、たとえば「幹線道路沿い（Ａ）」の「カーテンを開けた状態（Ｘ）」を画面上でクリックすると、上段左側欄面（１）の防音カーテン（Ｃ’）はカーテンを開けた状態で、幹線道路沿いの騒音が１０秒間、音として流れ、つぎに隣の欄の「カーテンを閉めた状態（Ｘ’）」をクリックすると、上段左側欄面（１）の防音カーテン（Ｃ’）の図は、カーテンを閉めた状態（Ｘ’）［図２参照］に変わり、その際、たとえば道路騒音に対するこの防音カーテン（Ｃ’）の透過損失は１０ｄＢであるとすると、通常の約二分の一に減衰した騒音が１０秒間流れる。他の騒音例の走行する電車（Ｂ）、建設工事現場（Ｃ）、犬の遠吠え（Ｄ）についても、「カーテンを開けた状態（Ｘ）」と、「カーテンを閉めた状態（Ｘ’）」を必要に応じて交互にクリックすることによって、それぞれの騒音に対する防音カーテンの機能を確認することができる。【０００８】  なおそれぞれの騒音について、カーテンを閉めたときに流れる減衰音は、実際の各騒音に対する防音カーテンの透過損失から算出されたものを使用する。このようにして購買者は各種の発生する騒音に対する購入希望の防音カーテンの機能、効果を容易に比較、確認することができ、所望の防音カーテンの購入に当たっての購買者の意思決定が促進されることとなる。
【産業上の利用可能性】
【０００９】  パソコンを使用するインターネット上において、目で見たり、文章を読んだりしても分かり難い防音機能、効果を、実際に耳で聞いて、防音度や音の減衰を容易に確認することができるウェブページを提供することにより、購買者が実際に、防音カーテンの使用前後の音を聞き、比較することができ、防音カーテンの購入において、その意思決定に寄与し、それを促進することを図る新しい防音カーテンの展示・販売方法となる。
【図面の簡単な説明】
【００１０】
【図１】この発明の防音カーテンのウェブ上の表示を示す説明図。
【図２】図１の表示において、防音カーテンを閉じた状態を示す説明図。
【符号の説明】
【００１１】  （Ｃ’）  防音カーテン
（Ｘ）    カーテンを開けた状態
（Ｘ’）  カーテンを閉めた状態
（１）    左側欄面
（２）    右側欄面
（３）    表示欄面
【図１】
2007087356.tif 000003
【図２】
2007087356.tif 000004